(57)【要約】【課題】検索文字表示領域を利用して入力された文字に基づくデータを容易に検索することが可能な電子機器、その表示制御方法及び表示制御プログラムを提供すること。【解決手段】データを記憶する記憶部３４と、複数の文字が一の操作部１１にそれぞれ割り当てられる複数の操作部１１と、データを検索するために入力された文字を表示するための検索文字表示領域１３Ａを表示する表示部１３と、前記複数の操作部１１のうちいずれかの操作部１１が操作された場合に、操作された操作部１１に割り当てられる複数の文字のうち第１の文字を含むデータが前記記憶部３４に記憶されていると、当該第１の文字を前記検索文字表示領域１３Ａに表示させる制御部２１と、を有することを特徴とする。【選択図】図５
2012247904.tif 000002
【特許請求の範囲】
【請求項１】
データを記憶する記憶部と、
複数の文字が一の操作部にそれぞれ割り当てられる複数の操作部と、
データを検索するために入力された文字を表示するための検索文字表示領域を表示する表示部と、
前記複数の操作部のうちいずれかの操作部が操作された場合に、操作された操作部に割り当てられる複数の文字のうち第１の文字を含むデータが前記記憶部に記憶されていると、当該第１の文字を前記検索文字表示領域に表示させる制御部と、
を有することを特徴とする電子機器。
【請求項２】
前記制御部は、前記第１の文字が割り当てられた操作部が操作された場合に、前記第１の文字を含むデータが前記記憶部に記憶されていないと、操作された前記操作部に割り当てられる複数の文字のうち、前記記憶部に記憶されたデータに含まれる文字であって、前記第１の文字とは異なる第２の文字を前記検索文字表示領域に表示させる
ことを特徴とする請求項１に記載の電子機器。
【請求項３】
前記操作部は、前記複数の文字として子音が同一の仮名文字がそれぞれ割り当てられており、
前記第１の文字と前記第２の文字とは、母音が異なる仮名文字である
ことを特徴とする請求項２に記載の携帯電子機器。
【請求項４】
前記操作部は、前記複数の文字として異なる文字種の文字がそれぞれ割り当てられており、
前記第１の文字と前記第２の文字とは、異なる文字種の文字である
ことを特徴とする請求項２に記載の携帯電子機器。
【請求項５】
前記制御部は、前記表示部に標準画面が表示されている状態で、前記複数の操作部のうちいずれかの操作部が所定時間以上操作された場合に、前記第１の文字を前記検索文字表示領域に表示させる
ことを特徴とする請求項１乃至４のいずれか１項に記載の携帯電子機器。
【請求項６】
前記制御部は、前記第１の文字が前記検索文字表示領域に表示された状態において、前記複数の操作部のうち、前記第１の文字を表示させる際に操作された第１の操作部とは異なる第２の操作部が操作された場合に、操作された前記第２の操作部に割り当てられる複数の文字のうち、前記記憶部に記憶されたデータに前記第１の文字に続いて含まれる文字である第３の文字を前記第１の文字に続けて前記検索文字表示領域に表示させる
ことを特徴とする請求項１乃至５のいずれか１項に記載の携帯電子機器。
【請求項７】
前記制御部は、前記第１の文字が前記検索文字表示領域に表示された状態において、前記複数の操作部のうち、前記第１の文字を表示させる際に操作された第１の操作部とは異なる第２の操作部が操作された場合に、操作された前記第２の操作部に割り当てられる複数の文字のうち、前記記憶部に記憶されたデータに含まれる文字である第４の文字を前記第１の文字に替えて前記検索文字表示領域に表示させる
ことを特徴とする請求項１乃至５のいずれか１項に記載の携帯電子機器。
【請求項８】
前記制御部は、前記第１の文字が前記検索文字表示領域に表示された状態において、前記複数の操作部のうち、前記第１の文字を表示させる際に操作された操作部と同一の操作部が操作された場合に、操作された前記操作部に割り当てられる複数の文字のうち、前記記憶部に記憶されたデータに含まれる文字であって、前記第１の文字とは異なる第５の文字を前記第１の文字に替えて前記検索文字表示領域に表示させる
ことを特徴とする請求項１乃至５のいずれか１項に記載の携帯電子機器。
【請求項９】
前記記憶部は、名称とアドレスデータを対応付けて記憶し、
前記制御部は、前記第１の文字を前記検索文字表示領域に表示させる際に、当該第１の文字を頭文字とする名称又はアドレスデータの少なくともいずれか一方を前記表示部に表示させる
ことを特徴とする請求項１乃至８のいずれか１項に記載の携帯電子機器。
【請求項１０】
前記記憶部は、名称とメールアドレス又は電話番号を対応付けて記憶し、
前記制御部は、操作された前記操作部に割り当てられる複数の文字のうち前記第１の文字を頭文字とする名称が前記記憶部に記憶されていない場合に、操作された前記操作部に割り当てられる複数の文字のうち、前記記憶部に記憶されたメールアドレス又は電話番号の頭文字であって、前記第１の文字とは異なる第２の文字を前記検索文字表示領域に表示させると共に、当該第２の文字を頭文字とするメールアドレス又は電話番号或いは当該メールアドレス又は当該電話番号に対応付けられた名称を前記表示部に表示させる
ことを特徴とする請求項１乃至９のいずれか１項に記載の携帯電子機器。
【請求項１１】
複数の文字が一の操作部にそれぞれ割り当てられる複数の操作部と、データを検索するために入力された文字を表示するための検索文字表示領域を表示する表示部とを有する電子機器の制御方法であって、
データを記憶する記憶工程と、
前記複数の操作部のうちいずれかの操作部が操作された場合に、操作された操作部に割り当てられる複数の文字のうち第１の文字を含むデータが記憶されていると、当該第１の文字を前記検索文字表示領域に表示させる制御工程と、
を備える電子機器の制御方法。
【請求項１２】
複数の文字が一の操作部にそれぞれ割り当てられる複数の操作部と、データを検索するために入力された文字を表示するための検索文字表示領域を表示する表示部とを有する電子機器をコンピュータによって実現するための制御プログラムであって、
データを記憶する記憶工程と、
前記複数の操作部のうちいずれかの操作部が操作された場合に、操作された操作部に割り当てられる複数の文字のうち第１の文字を含むデータが記憶されていると、当該第１の文字を前記検索文字表示領域に表示させる制御工程と、を含む制御プログラム。
【発明の詳細な説明】
【技術分野】
【０００１】
本発明は、検索文字表示領域を利用して入力された文字に基づくデータを容易に検索することが可能な携帯電話機、ＰＤＡ等の電子機器、その表示制御方法及び表示制御プログラムに関する。
【背景技術】
【０００２】
携帯電話機等の電子機器は、表示部に待受画面が表示された状態で、テンキーのうちいずれかのキーが長押しされると、操作されたキーに割り当てられる文字を頭文字とする名称（例えば、アドレス帳に登録された名前）を表示させることで容易に所望のアドレスデータを検索することができるという時短検索機能が存在する。そして、表示された名称を選択すると選択された名称に対応付けられるアドレスデータが表示される（例えば、特許文献１を参照）。
【先行技術文献】
【特許文献】
【０００３】
【特許文献１】特開平９−３３０６０９号公報
【発明の概要】
【発明が解決しようとする課題】
【０００４】
ここで、従来技術においては、操作されたキーに割り当てられる文字を頭文字とする名称が表示された場合に、併せて検索文字表示領域（例えば、検索窓）を表示して更なるアドレスデータの検索に利用できると便利であるが、時短検索機能において検索文字表示領域を利用するものはなかった。また、アドレスデータの検索を一例としてあげたが、Ｅメールや辞書等の電子機器の内部に記憶されているデータの検索に利用できても便利である。
【０００５】
本発明はかかる課題を解決するために、検索文字表示領域を利用して入力された文字に基づくデータを容易に検索することが可能な電子機器、その表示制御方法及び表示制御プログラムを提供することを目的とする。
【課題を解決するための手段】
【０００６】
本発明に係る電子機器は、上記課題を解決するために、データを記憶する記憶部と、複数の文字が一の操作部にそれぞれ割り当てられる複数の操作部と、データを検索するために入力された文字を表示するための検索文字表示領域を表示する表示部と、前記複数の操作部のうちいずれかの操作部が操作された場合に、操作された操作部に割り当てられる複数の文字のうち第１の文字を含むデータが前記記憶部に記憶されていると、当該第１の文字を前記検索文字表示領域に表示させる制御部と、を有することを特徴とする。
【０００７】
また、上記電子機器では、前記制御部は、前記第１の文字が割り当てられた操作部が操作された場合に、前記第１の文字を含むデータが前記記憶部に記憶されていないと、操作された前記操作部に割り当てられる複数の文字のうち、前記記憶部に記憶されたデータに含まれる文字であって、前記第１の文字とは異なる第２の文字を前記検索文字表示領域に表示させてもよい。
【０００８】
また、上記電子機器では、前記操作部は、前記複数の文字として子音が同一の仮名文字がそれぞれ割り当てられており、前記第１の文字と前記第２の文字とは、母音が異なる仮名文字であってもよい。
【０００９】
また、上記電子機器では、前記操作部は、前記複数の文字として異なる文字種の文字がそれぞれ割り当てられており、前記第１の文字と前記第２の文字とは、異なる文字種の文字であってもよい。
【００１０】
また、上記電子機器では、前記制御部は、前記表示部に標準画面が表示されている状態で、前記複数の操作部のうちいずれかの操作部が所定時間以上操作された場合に、前記第１の文字を前記検索文字表示領域に表示させてもよい。
【００１１】
また、上記電子機器では、前記制御部は、前記第１の文字が前記検索文字表示領域に表示された状態において、前記複数の操作部のうち、前記第１の文字を表示させる際に操作された第１の操作部とは異なる第２の操作部が操作された場合に、操作された前記第２の操作部に割り当てられる複数の文字のうち、前記記憶部に記憶されたデータに前記第１の文字に続いて含まれる文字である第３の文字を前記第１の文字に続けて前記検索文字表示領域に表示させてもよい。
【００１２】
また、上記電子機器では、前記制御部は、前記第１の文字が前記検索文字表示領域に表示された状態において、前記複数の操作部のうち、前記第１の文字を表示させる際に操作された第１の操作部とは異なる第２の操作部が操作された場合に、操作された前記第２の操作部に割り当てられる複数の文字のうち、前記記憶部に記憶されたデータに含まれる文字である第４の文字を前記第１の文字に替えて前記検索文字表示領域に表示させてもよい。
【００１３】
また、上記電子機器では、前記制御部は、前記第１の文字が前記検索文字表示領域に表示された状態において、前記複数の操作部のうち、前記第１の文字を表示させる際に操作された操作部と同一の操作部が操作された場合に、操作された前記操作部に割り当てられる複数の文字のうち、前記記憶部に記憶されたデータに含まれる文字であって、前記第１の文字とは異なる第５の文字を前記第１の文字に替えて前記検索文字表示領域に表示させてもよい。
【００１４】
また、上記電子機器では、前記記憶部は、名称とアドレスデータを対応付けて記憶し、
前記制御部は、前記第１の文字を前記検索文字表示領域に表示させる際に、当該第１の文字を頭文字とする名称又はアドレスデータの少なくともいずれか一方を前記表示部に表示させてもよい。
【００１５】
また、上記電子機器では、前記記憶部は、名称とメールアドレス又は電話番号を対応付けて記憶し、前記制御部は、操作された前記操作部に割り当てられる複数の文字のうち前記第１の文字を頭文字とする名称が前記記憶部に記憶されていない場合に、操作された前記操作部に割り当てられる複数の文字のうち、前記記憶部に記憶されたメールアドレス又は電話番号の頭文字であって、前記第１の文字とは異なる第２の文字を前記検索文字表示領域に表示させると共に、当該第２の文字を頭文字とするメールアドレス又は電話番号或いは当該メールアドレス又は当該電話番号に対応付けられた名称を前記表示部に表示させてもよい。
【００１６】
また、本発明に係る電子機器の表示制御方法は、上記課題を解決するために、複数の文字が一の操作部にそれぞれ割り当てられる複数の操作部と、データを検索するために入力された文字を表示するための検索文字表示領域を表示する表示部とを有する電子機器の制御方法であって、データを記憶する記憶工程と、前記複数の操作部のうちいずれかの操作部が操作された場合に、操作された操作部に割り当てられる複数の文字のうち第１の文字を含むデータが記憶されていると、当該第１の文字を前記検索文字表示領域に表示させる制御工程と、を備えることを特徴とする。
【００１７】
また、本発明に係る電子機器の表示制御プログラムは、上記課題を解決するために、複数の文字が一の操作部にそれぞれ割り当てられる複数の操作部と、データを検索するために入力された文字を表示するための検索文字表示領域を表示する表示部とを有する電子機器をコンピュータによって実現するための制御プログラムであって、データを記憶する記憶工程と、前記複数の操作部のうちいずれかの操作部が操作された場合に、操作された操作部に割り当てられる複数の文字のうち第１の文字を含むデータが記憶されていると、当該第１の文字を前記検索文字表示領域に表示させる制御工程と、を含むことを特徴とする。
【発明の効果】
【００１８】
本発明によれば、検索文字表示領域を利用して入力された文字に基づくデータを容易に検索することが可能となる。
【図面の簡単な説明】
【００１９】
【図１】図１は、本発明における電子機器の一例である携帯電話機１の外観正面図である。
【図２】図２は、携帯電話機１の操作部１１を構成する入力キー１１Ａに割り当てられる複数の文字の例である。
【図３】図３は、携帯電話機１の機能の概略構成を示す機能ブロック図である。
【図４】図４は、携帯電話機１に記憶されている名称と名称に対応付けられたアドレスデータ（メールアドレス、電話番号）の例である。
【図５】図５は、本発明に係る実施形態における携帯電話機１の動作を説明するための説明図である。
【図６】図６は、本発明に係る実施形態における携帯電話機１の動作を説明するための説明図である。
【図７】図７は、本発明に係る実施形態における携帯電話機１の動作を説明するための説明図である。
【図８】図８は、本発明に係る実施形態における携帯電話機１の動作を説明するための説明図である。
【図９】図９は、本発明に係る実施形態における携帯電話機１の処理動作を説明するためのフローチャートである。
【発明を実施するための形態】
【００２０】
以下、図面を用いて本発明を実施するための最良の形態について説明する。
図１は、本発明に係る電子機器の一例である携帯電話機１の外観正面図である。なお、図１は、操作部１１を有する操作部側筐体２と表示部１３を有する表示部側筐体３の２つの筐体が連結部４により連結されたいわゆる折り畳み型の携帯電話機１の形態を示しているが、本発明に係る電子機器の形態としては特にこれに限られない。
例えば、操作部側筐体２と表示部側筐体３の両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部１１と表示部１３とが１つの筐体に配置され、連結部を有さない形式（ストレープタイプ、フリップタイプ）でも良い。
【００２１】
また、図１は、操作部１１が物理的な複数の操作キー（入力キー１１Ａ、機能実行キー１１Ｂ、決定操作キー１１Ｃ）から構成された携帯電話機１を示しているが、特にこれに限られない。例えば、表示部１３に対するユーザの指やタッチペン等の物体による接触を操作部１１の操作として検出する、いわゆるタッチパネルを備えた携帯電話機であっても良い。タッチパネルを備えた携帯電話機の場合、タッチパネル上に表示されたキー、いわゆるタッチキーが本発明にいう操作部１１（入力キー１１Ａ、機能実行キー１１Ｂ、決定操作キー１１Ｃ）となる。
【００２２】
携帯電話機１は、操作部側筐体２と、表示部側筐体３とを備え、操作部側筐体２と表示部側筐体３とはヒンジ機構を備える連結部４を介して連結される。ユーザは連結部４を介して連結された操作部側筐体２と表示部側筐体３とを、相対的に動かすことにより操作部側筐体２と表示部側筐体３とを折り畳んだ状態（閉状態）にしたり、操作部側筐体２と表示部側筐体３とを互いに開いた状態（開状態）にしたりすることが可能となる。
【００２３】
操作部側筐体２は、操作部１１と、マイク１２と、を有する。
【００２４】
操作部１１は、仮名文字、カナ文字、漢字、英字、数字、記号等を含む文字を入力するための入力キー１１Ａと、電話帳機能、メール機能、Ｗｅｂ機能等の各機能を実行させるための機能実行キー１１Ｂと、各種操作における決定や上下左右への方向指定を行わせるための決定操作キー１１Ｃと、を含んで構成される。
各キーは起動している機能の種類に応じて所定の機能が割り当てられており、ユーザが各キーを操作、すなわち押圧することにより、当該操作されたキーに割り当てられる機能に応じた動作が実行される。
【００２５】
ここで、図２に示すように、入力キー１１Ａの一のキーには、それぞれ複数の文字が割り当てられる。例えば、「１」キーには、仮名文字「あ」「い」「う」「え」「お」、数字「１」、記号「．」「＠」が割り当てられ、「２」キーには、仮名文字「か」「き」「く」「け」「こ」、英字「Ａ」「Ｂ」「Ｃ」、数字「２」が割り当てられる。同様にして、「３」キーには、仮名文字「さ」「し」「す」「せ」「そ」、英字「Ｄ」「Ｅ」「Ｆ」、数字「３」が割り当てられ、「４」キーには、仮名文字「た」「ち」「つ」「て」「と」、英字「Ｇ」「Ｈ」「Ｉ」、数字「４」が割り当てられ、「５」キーには、仮名文字「な」「に」「ぬ」「ね」「の」、英字「Ｊ」「Ｋ」「Ｌ」、数字「５」が割り当てられる。
【００２６】
マイク１２は、ユーザが通話時に発した音声が入力されるマイクの機能を有する。
【００２７】
なお、操作部側筐体２の側面には外部機器（例えば、ホスト装置）と通信を行うためのインターフェースと、所定の機能が割り当てられているサイドキーと、外部メモリの挿入及び取り出しが行われるインターフェースとが、設けられている（図示せず）。
【００２８】
表示部側筐体３は表示部１３とスピーカ１４とを有する。
【００２９】
表示部１３は、各種情報を表示するためのものであり、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）が採用される。表示部１３には、通信の待受け状態であって所定の機能が起動していない状態には標準画面（他に待受画面、初期画面、壁紙、デスクトップともいう。）が表示され、所定の機能が起動している場合には、当該所定の機能の動作に基づく画面が表示される。
また、表示部１３はデータを検索するために入力された文字を表示するための検索文字表示領域１３Ａを表示する。具体的には、後述する記憶部３４に記憶されたデータ（電話帳機能において利用されるアドレスデータ（例えば、電話番号やメールアドレス）や当該アドレスデータに対応付けられた名称（例えば、名前）等のデータ、メール機能において送受信されたメールの内容データ（例えば、件名や本文）や当該内容データに対応付けられた名称（例えば、日時、相手先の名前）等のデータ、辞書機能において利用される辞書データ等）を検索するために、操作部１１のうち、入力キー１１Ａが操作された場合に、操作された入力キー１１Ａに割り当てられる文字を検索文字表示領域１３Ａに表示する。
【００３０】
スピーカ１４は、通話時の相手側の音声を出力するレシーバの機能を有する。
【００３１】
図３は、携帯電話機１の機能の概略構成を示す機能ブロック図である。携帯電話機１は、図３に示すように、操作部１１（入力キー１１Ａ、機能実行キー１１Ｂ、決定操作キー１１Ｃを含む。）と、マイク１２と、表示部１３と、スピーカ１４とが備えられ、内部には制御部２１と、ＬＣＤ制御部２２と、メインアンテナ３１と、ＲＦ回路部３２と、音声処理部３３と、記憶部３４と、を備えている。
【００３２】
制御部２１は、携帯電話機１の全体を制御しており、中央処理装置（ＣＰＵ）等を用いて構成される。そして、ＬＣＤ制御部２２、音声処理部３３、記憶部３４に対して所定の制御を行う。制御部２１の具体的な処理については後述する。
【００３３】
ＬＣＤ制御部２２は、制御部２１の制御に従って、所定の画像処理を行い、処理後の画像データを不図示のドライバＩＣに出力する。ドライバＩＣは、ＬＣＤ制御部２２から供給された画像データを不図示のフレームメモリに蓄え、所定のタイミングで表示部１３に出力する。
【００３４】
メインアンテナ３１は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド構成である。なお、本発明に係る実施形態においては、第１の使用周波数帯として、８００ＭＨｚとしているが、これ以外の周波数帯であっても良い。また、メインアンテナ３１は第１の使用周波数帯で外部装置（基地局）と通信を行い、ＧＰＳ通信のための第２の使用周波数帯に対応できるアンテナを別途設けても良い。
【００３５】
ＲＦ回路部３２は、メインアンテナ３１によって受信した信号を復調処理し、処理後の信号を制御部２１に供給する。そして、制御部２１から供給された信号を復調処理し、メインアンテナ３１を介して外部装置に送信する。また、その一方で、メインアンテナ３１によって受信している信号の強度を制御部２１に通知する。
【００３６】
音声処理部３３は、制御部２１の制御に従って、ＲＦ回路部３２から供給された信号に対して所定の音声処理を行い、処理後の信号をスピーカ１４に出力する。スピーカ１４は、音声処理部３３から供給された信号を外部に出力する。
【００３７】
また、音声処理部３３は、制御部２１の制御に従って、マイク１２から入力された信号を処理し、処理後の信号をＲＦ回路部３２に出力する。ＲＦ回路部３２は、音声処理部３３から供給された信号に所定の処理を行い、処理後の信号をメインアンテナ３１に供給し、メインアンテナ３１により電波として外部に出力させる。
【００３８】
記憶部３４は、例えば、ワーキングメモリを含み、制御部２１による演算処理に利用される。また、記憶部３４には、携帯電話機１上で動作する複数の機能において利用されるデータやテーブル等が記憶されている。なお、記憶部３４は、着脱可能な外部メモリであってもよい。
【００３９】
具体的に、記憶部３４には、例えば、図４に示すように、電話帳機能において利用されるアドレスデータ（例えば、電話番号やメールアドレス）や当該アドレスデータに対応付けられた名称（例えば、名前）等のデータが記憶されている。他にも、メール機能において送受信されたメールの内容データ（例えば、件名や本文）や当該内容データに対応付けられた名称（例えば、日時、相手先の名前）等のデータ、辞書機能において利用される辞書データ等の様々なデータが記憶される。
【００４０】
表示部１３に標準画面が表示されている状態において、入力キー１１Ａのうちいずれかのキーが短押下（所定時間未満の押下）されると、操作されたキーに割り当てられる数字が入力され、表示部１３に表示される。そして、入力された数字を用いて発信を行うことや、電話帳に登録することが可能となる。
同様に、表示部１３に標準画面が表示されている状態において、入力キー１１Ａのうちいずれかのキーが長押下（所定時間以上の押下）されると、操作されたキーに割り当てられる文字を頭文字とする名称が表示部１３に表示される。そして、表示された名称を選択すると選択された名称に対応付けられるアドレスデータが表示される。
これにより、ユーザは表示部１３に標準画面が表示されている状態において、入力された数字を用いた発信や電話帳への登録だけでなく、所望のアドレスデータを検索することも可能となる（いわゆる時短検索機能）。
【００４１】
ここで、入力キー１１Ａのうち操作されたキーに割り当てられる文字を頭文字とする名称が表示部１３に表示された場合に、併せて検索文字表示領域１３Ａを表示して更なるアドレスデータの検索に利用できると便利であるが、時短検索機能において検索文字表示領域１３Ａを利用するものはなかった。また、アドレスデータの検索だけでなく、メールや辞書等の記憶部３４に記憶されているデータの検索に利用できても便利である。
検索文字表示領域１３Ａとは、データを検索するために入力された文字を表示させるための文字表示領域であり、検索窓や検索フォームともいう。
【００４２】
図５を用いて本発明に係る実施形態について説明する。本実施形態においては、前提として名称「片山」「川村」「北川」「久野」「Ａｎｄｙ」及び当該名称に対応付けられたアドレスデータが電話帳として記憶部３４に記憶されているとする。
そして、表示部１３に標準画面が表示されている状態において（図５（ａ）参照）、入力キー１１Ａのうち「２」キーが長押下された場合に、操作されたキーに割り当てられる複数の文字（「か」「き」「く」「け」「こ」、「Ａ」「Ｂ」「Ｃ」、「２」）のうち第１の文字「か」を頭文字とする名称が対応付けられたアドレスデータが記憶部３４に記憶されていると、第１の文字「か」を検索文字表示領域１３Ａに表示させる（図５（ｂ）参照）。
そして、第１の文字「か」を頭文字とする名称の一覧が表示部１３に表示される。また、かかる場合に、第１の文字「か」を頭文字とする名称のみ（例えば、「片山」）を表示しても良いし、「２」キーに割り当てられる複数の文字を頭文字とする一部の名称（例えば、「片山」「川村」「北川」「久野」）或いは全ての名称（例えば、「片山」「川村」「北川」「久野」「Ａｎｄｙ」を表示しても良い（図５（ｂ）参照）。そして、表示された名称のうち、選択された名称に対応付けられたアドレスデータ等が表示される（図５（ｃ）参照）。
【００４３】
ここで、第１の文字は「２」キーに割り当てられる文字であれば良く、「か」に限られることなく、「き」「く」「け」「こ」、「Ａ」「Ｂ」「Ｃ」、「２」のいずれであっても良い。
このようにして、検索文字表示領域１３Ａを利用して入力された文字「か」に基づくアドレスデータを容易に検索することが可能となる。
【００４４】
なお、表示部１３に標準画面が表示されている状態を例に挙げているがこれに限られない。例えば、メール機能やメモ帳機能、テレビ機能等の各種機能が起動している状態において、キーが長押下された場合であっても良い。
また、キーが長押下される場合に限られず、短押下された場合であっても良い。
さらに、一例として第１の文字を頭文字とする名称が対応付けられたアドレスデータを検索することを示したが、これに限られず、メールの内容データや辞書のデータであってもよく、記憶部３４に記憶されているデータであれば良い。
【００４５】
本実施形態において、図５（ｂ）においては、第１の文字「か」を検索文字表示領域１３Ａに表示させる際に、当該第１の文字「か」を頭文字とする名称を表示しているがこれに限られず、第１の文字「か」を検索文字表示領域１３Ａに表示させる際に、当該第１の文字「か」を頭文字とする名称又はアドレスデータの少なくともいずれか一方を表示部１３に表示させても良い。また、第１の文字「か」を頭文字とする名称に対応付けられるアドレスデータを表示部１３に表示させても良い。
【００４６】
次に、図６を用いて本発明に係る実施形態について説明する。本実施形態においては、前提として名称「久野」「Ａｎｄｙ」及び当該名称に対応付けられたアドレスデータが電話帳として記憶部３４に記憶されているとする。
そして、表示部１３に標準画面が表示されている状態において（図６（ａ）参照）、入力キー１１Ａのうち「２」キーが長押下された場合に、操作されたキーに割り当てられる複数の文字（「か」「き」「く」「け」「こ」、「Ａ」「Ｂ」「Ｃ」、「２」）のうち第１の文字「か」を頭文字とする名称が対応付けられたアドレスデータが記憶されていないと、操作されたキーに割り当てられる複数の文字のうち、記憶されているアドレスデータに対応付けられる名称を頭文字とする文字であって、第１の文字「か」とは異なる第２の文字「く」を検索文字表示領域１３Ａに表示させる（図６（ｂ）参照）。
すなわち、「２」キーが長押下された場合に、本実施形態においては、第１の文字「か」を頭文字とするアドレスデータに対応付けられた名称が記憶されていないため、「２」キーに割り当てられる複数の文字のうち第１の文字とは異なる文字を頭文字とするアドレスデータに対応付けられた名称がないか否かを判断する。そして、本実施形態においては、「く」を頭文字とするアドレスデータに対応付けられた名称「久野」が記憶されているため、第２の文字として「く」を検索文字表示領域１３Ａに表示させる。
そして、第２の文字「く」を頭文字とする名称の一覧が表示部１３に表示される。また、かかる場合に、第２の文字「く」を頭文字とする名称のみ（例えば、「久野」）を表示しても良いし（図６（ｂ）参照）、「２」キーに割り当てられる複数の文字を頭文字とする一部の名称或いは全ての名称（例えば、「久野」「Ａｎｄｙ」）を表示しても良い。
そして、表示された名称のうち、選択された名称に対応付けられたアドレスデータ等が表示される（図６（ｃ）参照）。
具体的には、記憶部３４には名称「久野」「Ａｎｄｙ」が電話帳として記憶されているため、はじめに名称「久野」の頭文字「く」を第２の文字として検索文字表示領域１３Ａに表示する。
【００４７】
ここで、第２の文字は、「２」キーに割り当てられる文字であって、記憶されたアドレスデータに対応付けられた名称の頭文字であることを前提として、第１の文字「か」と異なる文字あれば良く、「く」に限られず、「き」「け」「こ」、「Ａ」「Ｂ」「Ｃ」、「２」のいずれであっても良い。
このようにして、検索文字表示領域１３Ａを利用して入力された文字「か」に基づくアドレスデータが記憶されていない場合に、操作されたキーと同一のキーに「か」と共に割り当てられる他の文字に基づくアドレスデータを容易に検索することが可能となる。
【００４８】
なお、表示部１３に標準画面が表示されている状態を例に挙げているがこれに限られない。例えば、メール機能やメモ帳機能、テレビ機能等の各種機能が起動している状態において、キーが長押下された場合であっても良い。
また、キーが長押下される場合に限られず、短押下された場合であっても良い。
さらに、一例として第２の文字を頭文字とする名称が対応付けられたアドレスデータを検索すること示したが、これに限られず、メールの内容データや辞書のデータであってもよく、記憶部３４に記憶されているデータであれば良い。
【００４９】
ここで、操作部１１を構成する複数の入力キー１１Ａの一のキーには複数の文字として子音が同一の仮名文字がそれぞれ割り当てられており（例えば、仮名文字「か」「き」「く」「け」「こ」）、第１の文字と第２の文字とは母音が異なる仮名文字であっても良い。上述の実施形態において、第１の文字は「か」であり、第２の文字は「く」であるため、第１の文字と第２の文字は子音が同一であり母音が異なる仮名文字である。
【００５０】
また、操作部１１を構成する複数の入力キー１１Ａの一のキーには複数の文字として異なる文字種の文字がそれぞれ割り当てられており（例えば、仮名文字「か」「き」「く」「け」「こ」、英字「Ａ」「Ｂ」「Ｃ」、数字「２」）、第１の文字と第２の文字とは異なる文字種の文字であっても良い。例えば、「２」キーを例にあげた場合に、第１の文字は仮名文字「か」であり、第２の文字は英字「Ａ」「Ｂ」「Ｃ」や数字「２」である。
【００５１】
次に、図７を用いて本発明に係る実施形態について説明する。本実施形態においては、前提として名称「片山」「川村」「北川」「久野」「田上」「筒井」「戸村」「Ａｎｄｙ」及び当該名称に対応付けられたアドレスデータが電話帳として記憶部３４に記憶されているとする。
そして、表示部１３に標準画面が表示されている状態において（図７（ａ）参照）、入力キー１１Ａのうち「２」キーが長押下された場合に、操作されたキーに割り当てられる複数の文字（「か」「き」「く」「け」「こ」、「Ａ」「Ｂ」「Ｃ」、「２」）のうち第１の文字「か」を頭文字とする名称が対応付けられたアドレスデータが記憶部３４に記憶されていると、第１の文字「か」を検索文字表示領域に表示させる。
そして、第１の文字「か」が検索文字表示領域に表示された状態において、複数の入力キー１１Ａのうち、第１の文字「か」を表示させる際に操作された「２」キー（第１の操作部）とは異なる「４」キー（第２の操作部）が操作された場合に、操作された「４」キーに割り当てられる複数の文字のうち、記憶部３４に記憶されたデータに第１の文字「か」に続いて含まれる文字である第３の文字「た」を第１の文字「か」に続けて検索文字表示領域１３Ａに表示させる（図７（ｃ）参照）。
具体的には、記憶部３４には名称「片山」が記憶されているため、第１の文字「か」に続けて第３の文字「た」を検索文字表示領域１３Ａに表示させる。かかる場合に、名称「片山」を共に表示させても良い（図７（ｃ）参照）。そして、「片山」を選択すると名称「片山」に対応付けられたアドレスデータが表示される。
ここで、記憶部３４には名称「片山」ではなく「勝田」「加藤」が記憶されている場合には、第１の文字「か」が検索文字表示領域１３Ａに表示されている状態において、「４」キーが操作されると、第１の文字「か」に続く第３の文字として「つ」を検索文字表示領域１３Ａに表示させると共に、名称「勝田」を表示させる。
そして、「かつ」が検索文字表示領域１３Ａに表示された状態において続けて再度「４」キーが操作された場合には、名称「勝田」の次は「加藤」が記憶されているため、第１の文字「か」に続く第３の文字として「つ」に替わって「と」が検索文字表示領域１３Ａに表示させると共に、名称「加藤」を表示させる。
このようにして、検索文字表示領域１３Ａを利用して入力された文字「か」を表示させる際に操作されたキーとは異なるキーが操作された場合に、第１の文字に続いて操作されたキーに割り当てられる第３の文字に基づくアドレスデータを容易に検索することが可能となる。
【００５２】
また、表示部１３に標準画面が表示されている状態において（図７（ａ）参照）、入力キー１１Ａのうち「２」キーが長押下された場合に、操作されたキーに割り当てられる複数の文字（「か」「き」「く」「け」「こ」、「Ａ」「Ｂ」「Ｃ」、「２」）のうち第１の文字「か」を頭文字とする名称が対応付けられたアドレスデータが記憶部３４に記憶されていると、第１の文字「か」を検索文字表示領域Ａに表示させる。第１の文字「か」が検索文字表示領域１３Ａに表示された状態において、複数の入力キー１１Ａのうち、第１の文字「か」を表示させる際に操作された「２」キー（第１の操作部）とは異なる「４」キー（第２の操作部）が操作された場合に、操作された「４」キーに割り当てられる複数の文字のうち、記憶部３４に記憶されたデータに含まれる文字である第４の文字「た」を第１の文字「か」に替えて検索文字表示領域１３Ａに表示させる（図７（ｄ）参照）。
具体的には、記憶部３４には名称「田上」が記憶されているため、第１の文字「か」に替えて第４の文字「た」を検索文字表示領域１３Ａに表示させる。かかる場合に、名称「田上」を共に表示させても良い。また、「田上」だけでなく、第４の文字「た」行を頭文字とする名称（例えば、「筒井」「戸村」）を全て表示させても良い（図７（ｄ）参照）。そして、「田上」を選択すると名称「田上」に対応付けられたアドレスデータが表示される。
ここで、記憶部３４には名称「田上」ではなく「筒井」が記憶されている場合には、第１の文字「か」が検索文字表示領域１３Ａに表示されている状態において、「４」キーが操作されると、第４の文字「つ」を第１の文字「か」に替えて検索文字表示領域１３Ａに表示させると共に、名称「筒井」を表示させる。
そして、「つ」が検索文字表示領域１３Ａに表示された状態において、続けて再度「４」キーが操作された場合には、名称「筒井」の次は「戸村」が記憶されているため、第４の文字として「つ」に替わって「と」を検索文字表示領域１３Ａに表示させると共に、名称「戸村」を表示させる。
このようにして、検索文字表示領域１３Ａを利用して入力された文字「か」を表示させる際に操作されたキーとは異なるキーが操作された場合に、当該キーに割り当てられる第４の文字に基づくアドレスデータを容易に検索することが可能となる。
【００５３】
ここで、第１の文字が検索文字表示領域１３Ａに表示されている状態において、第１の操作部とは異なる第２の操作部が操作された場合に、第１の文字に続いて第３の文字を表示させるか第１の文字に替えて第４の文字を表示させるかは、例えば、操作部１１を長押下したか短押下したかによって切替えても良い。
【００５４】
また、表示部１３に標準画面が表示されている状態において（図７（ａ）参照）、入力キー１１Ａのうち「２」キーが操作された場合に、操作されたキーに割り当てられる複数の文字（「か」「き」「く」「け」「こ」、「Ａ」「Ｂ」「Ｃ」、「２」）のうち第１の文字「か」を頭文字とする名称が対応付けられたアドレスデータが記憶部３４に記憶されていると、第１の文字「か」を検索文字表示領域１３Ａに表示させる。第１の文字「か」が検索文字表示領域１３Ａに表示された状態において、複数の入力キー１１Ａのうち、第１の文字「か」を表示させる際に操作された「２」キーと同一の操作部である「２」キーが操作された場合に、操作された「２」キーに割り当てられる複数の文字のうち、記憶部３４に記憶されたデータに含まれる文字であって、第１の文字「か」とは異なる第５の文字「き」を第１の文字「か」に替えて検索文字表示領域１３Ａに表示させる（図７（ｅ）参照）。ここで、「２」キーの操作は長押下であっても短押下であっても良い。
具体的には、記憶部３４には名称「北川」が記憶されているため、第１の文字「か」に替えて第５の文字「き」を検索文字表示領域１３Ａに表示させる。かかる場合に、名称「北川」を共に表示させても良い。また、「北川」だけでなく、「２」キーに割り当てられる第１の文字「か」以外の文字を頭文字とする一部の名称（例えば、「北川」「久野」）或いは出全ての名称（例えば、「北川」「久野」「Ａｎｄｙ」）を全て表示させても良い（図７（ｅ）参照）。そして、「北川」を選択すると名称「北川」に対応付けられたアドレスデータが表示される。
ここで、記憶部３４には名称「北川」ではなく「工藤」が記憶されている場合には、第１の文字「か」が検索文字表示領域１３Ａに表示されている状態において、「４」キーが操作されると、第５の文字「く」を第１の文字「か」に替えて検索文字表示領域１３Ａに表示させる。
このようにして、検索文字表示領域１３Ａを利用して入力された文字「か」を表示させる際に操作されたキーとは同一のキーが操作された場合に、当該キーに割り当てられる第５の文字に基づくアドレスデータを容易に検索することが可能となる。
【００５５】
次に図８を用いて本発明に係る実施形態について説明する。本実施形態においては、前提として名称「葛西」及び当該名称に対応付けられた電話番号「090-1234-5678」、メールアドレス「kasai@kyocera/com」、名称「時報」及び当該名称に対応付けられた電話番号「117」、メールアドレス「jihou@kyocera.com」が電話帳として記憶部３４に記憶されているとする。
そして、表示部１３に標準画面が表示されている状態において（図８（ａ）参照）、入力キー１１Ａのうち「１」キーが長押下された場合に、操作されたキーに割り当てられる複数の文字（「あ」「い」「う」「え」「お」、「．」「＠」、「１」）のうち第１の文字「あ」を頭文字とする名称が対応付けられたアドレスデータが記憶されていないと、記憶されているアドレスデータに対応付けられる名称を頭文字とする文字であって、操作されたキーに割り当てられる複数の文字のいずれかの文字（「い」「う」「え」「お」、「．」「＠」、「１」）を頭文字とする名称が記憶されていないかを判定する。しかし、本実施形態において、名称は「葛西」及び「時報」しか記憶されていない。
そして、次に操作されたキーに割り当てられる複数の文字（「あ」「い」「う」「え」「お」、「．」「＠」、「１」）を頭文字とするメールアドレス又は電話番号が記憶されていないか判定する。そして、複数の文字のうち「１」を頭文字とする電話番号「１１７」が記憶されているため、「１」を第２の文字として検索文字表示領域１３Ａに表示させる（図８（ｂ）参照）。そして、第２の文字「１」を頭文字とする電話番号が表示部１３に表示される。また、かかる場合に、「１」キーに割り当てられる複数の文字を頭文字とする一部の名称或いは全ての名称、メールアドレス、電話番号を表示しても良い。
そして、表示された名称、メールアドレス、電話番号のうち、選択された名称、メールアドレス、電話番号に対応付けられた名称やアドレスデータ等が表示される（図８（ｃ）参照）。
【００５６】
ここで、第１の文字は「１」キーに割り当てられる文字であれば良く、「１」に限られることなく、「あ」「い」「う」「え」「お」、「．」「＠」のいずれであっても良い。
このようにして、検索文字表示領域１３Ａを利用して入力された文字「１」に基づくメールアドレスや電話番号を容易に検索することが可能となる。
【００５７】
なお、表示部１３に標準画面が表示されている状態を例に挙げているがこれに限られない。例えば、メール機能やメモ帳機能、テレビ機能等の各種機能が起動している状態において、キーが長押下された場合であっても良い。
また、キーが長押下される場合に限られず、短押下された場合であっても良い。
さらに、一例として第２の文字を頭文字とする名称が対応付けられたアドレスデータを検索することを示したが、これに限られず、メールの内容データや辞書のデータであってもよく、記憶部３４に記憶されているデータであれば良い。
【００５８】
本実施形態において、図８（ｂ）においては、第２の文字「１」を検索文字表示領域１３Ａに表示させる際に、当該第２の文字「１」を頭文字とする電話番号を表示しているがこれに限られず、第２の文字「１」を検索文字表示領域１３Ａに表示させる際に、当該第２の文字「１」を頭文字とする電話番号又は当該電話番号に対応付けられた名称やアドレスデータの少なくともいずれか一方を表示部１３に表示させても良い。
また、第２の文字「１」を頭文字とするメールアドレスが記憶されている場合には、メールアドレスを表示しても良いし、当該メールアドレスに対応付けられる名称又は電話番号を表示しても良い。
【００５９】
次に、本発明に係る実施形態における携帯電話機１の処理動作について図９のフローチャートを用いて説明する。本フローチャートは、表示部１３に標準画面が表示されている状態から始まる。表示部１３に標準画面が表示されている状態において、ユーザが操作部１１の入力キー１１Ａのいずれかのキーを操作すると、当該キーを所定時間以上操作したか否かを判断する（ステップに表示される（ステップＳ１１）。所定時間以上操作したと判断されると（ステップＳ１１：Ｙｅｓ）、操作されたキーに割り当てられた第１の文字を頭文字とする名称が記憶部３４に記憶されているかを判断する（ステップＳ１２）。一方、所定時間以上操作したと判断されないと（ステップＳ１１：Ｎｏ）、操作されたキーに割り当てられた数字を表示部１３に表示する（ステップＳ１３）。表示された数字は発信や電話帳の登録に利用することが可能となる。
【００６０】
そして、操作されたキーに割り当てられる第１の文字を頭文字とする名称が記憶部３４に記憶されていると判断された場合に（ステップＳ１２：ＹＥＳ）、第１の文字を検索文字表示領域１３Ａに表示すると共に、第１の文字を頭文字とする名称を表示部１３に表示する（ステップＳ１４）。また、操作されたキーに割り当てられる第１の文字を頭文字とする名称が記憶部３４に記憶されていないと判断された場合に（ステップＳ１２：Ｎｏ）、操作されたキーに割り当てられる第１の文字を頭文字とするメールアドレス又は電話番号が記憶部３４に記憶されていないか判断する（ステップＳ１５）。
【００６１】
そして、操作されたキーに割り当てられる第１の文字を頭文字とするメールアドレス又は電話番号が記憶部３４に記憶されていると判断された場合に（ステップＳ１５：Ｙｅｓ）、操作されたキーに割り当てられた第１の文字を検索文字表示領域１３Ａに表示すると共に、第１の文字を頭文字とするメールアドレス又は電話番号を表示部１３に表示する（ステップＳ１６）。また、操作されたキーに割り当てられる第１の文字を頭文字とするメールアドレス又は電話番号が記憶部３４に記憶されていないと判断された場合に（ステップＳ１５：Ｎｏ）、該当する名称、メールアドレス及び電話番号が記憶されていない旨を表示部１３に表示する（ステップＳ１７）。
このようにして、ユーザは検索文字表示領域１３Ａを利用して入力された文字に基づく所望のアドレスデータを容易に検索することが可能となる。
【００６２】
以上により、本フローチャートは終了する。
【００６３】
これまで、一実施形態としての携帯電話機等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００６４】
また、上述の実施形態において、携帯電話機を例に用いて説明したが、本発明はこれに限定されるものではない。例えば、ＰＨＳ（登録商標：Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）の他、パーソナルコンピュータやゲーム機等、様々な電子機器に適用可能である。
【符号の説明】
【００６５】
１  携帯電話機
２  操作部側筐体
３  表示部側筐体
４  連結部
１１  操作部
１１Ａ  入力キー
１１Ｂ  機能実行キー
１１Ｃ  決定操作キー
１２  マイク
１３  表示部
１３Ａ  検索文字表示領域
１４  スピーカ
２１  制御部
２２  ＬＣＤ制御部
３１  メインアンテナ
３２  ＲＦ回路部
３３  音声処理部
３４  記憶部
【図１】
2012247904.tif 000003
【図２】
2012247904.tif 000004
【図３】
2012247904.tif 000005
【図４】
2012247904.tif 000006
【図５】
2012247904.tif 000007
【図６】
2012247904.tif 000008
【図７】
2012247904.tif 000009
【図８】
2012247904.tif 000010
【図９】
2012247904.tif 000011